(57)【要約】【課題】被除去物の種類、状態、および蛍光管の径にかかわらず、効率的に被除去物を除去することのできる蛍光管処理装置を提供する。【解決手段】直管形の蛍光管の表面から、被除去物としての包装材およびフィルムの少なくとも一方を除去する蛍光管処理装置であって、前記被除去物を前記蛍光管の長手方向に沿って切削する切削部と、切削された前記被除去物を剥離する剥離部とを有し、前記切削部が、前記被除去物に当接した状態で回転する切削用回転ブラシと、前記回転ブラシを前記蛍光管の長手方向に移動させる切削用回転ブラシ移動手段とを備え、前記剥離部が、前記被除去物に当接した状態で回転する剥離用回転ブラシを備える、蛍光管処理装置。【選択図】  図３
2019205960.tif 000002
【特許請求の範囲】
【請求項１】
直管形の蛍光管の表面から、被除去物としての包装材およびフィルムの少なくとも一方を除去する蛍光管処理装置であって、
前記被除去物を前記蛍光管の長手方向に沿って切削する切削部と、
切削された前記被除去物を剥離する剥離部とを有し、
前記切削部が、前記被除去物に当接した状態で回転する切削用回転ブラシと、前記回転ブラシを前記蛍光管の長手方向に移動させる切削用回転ブラシ移動手段とを備え、
前記剥離部が、前記被除去物に当接した状態で回転する剥離用回転ブラシを備える、蛍光管処理装置。
【請求項２】
前記剥離用回転ブラシが、前記蛍光管の長手方向と平行な回転軸を有する、請求項１に記載の蛍光管処理装置。
【請求項３】
前記剥離用回転ブラシの長さが、前記蛍光管の長さ以上である、請求項１または２に記載の蛍光管処理装置。
【請求項４】
前記剥離部が、前記被除去物に当接した状態で回転する回転ローラーをさらに備える、請求項１〜３のいずれか一項に記載の蛍光管処理装置。
【請求項５】
直管形の蛍光管の表面から、被除去物としての包装材およびフィルムの少なくとも一方を除去する蛍光管処理方法であって、
前記被除去物を前記蛍光管の長手方向に沿って切削する切削工程と、
切削された前記被除去物を剥離する剥離工程とを有し、
前記切削工程では、前記被除去物に当接した状態で回転する切削用回転ブラシを、前記蛍光管の長手方向に移動させながら前記被除去物を切削し、
前記剥離工程では、前記被除去物に当接した状態で回転する剥離用回転ブラシにより前記被除去物を剥離する、蛍光管処理方法。
【発明の詳細な説明】
【技術分野】
【０００１】
本発明は、直管形の蛍光管の表面から、被除去物としての包装材およびフィルムの少なくとも一方を除去する蛍光管処理装置に関し、特に、被除去物の種類、状態、および蛍光管の径にかかわらず被除去物を効率的に除去することが可能な蛍光管処理装置に関する。また本発明は、直管形の蛍光管の表面から、被除去物としての包装材およびフィルムの少なくとも一方を除去する蛍光管処理方法に関する。
【背景技術】
【０００２】
蛍光管は、一般的には、水銀を封入したガラス管からなる照明器具であり、水銀蒸気中での放電により発生させた紫外線がガラス管の内面に塗布されている蛍光体に当たることによって可視光線を発するように構成されている。
【０００３】
蛍光管は有害な水銀を含んでいるため、不要となった蛍光管（廃蛍光管）は通常そのままの状態で回収され、リサイクル工場などにおいて水銀の分別回収が行われている。また、その際には、蛍光管を構成するガラス、金属、蛍光体なども分別回収され、再資源化される。
【０００４】
ところで、一般的に新品の蛍光管は、破損防止のために紙製のケース（サヤ、スリーブともいう）などの包装材に収めた状態で販売されているが、使用済みの蛍光管についても、同様の包装材に収めた状態で廃棄されることが多い。したがって、そのような廃蛍光管をリサイクルするためには、まず、包装材と蛍光管本体とを分別する必要がある。
【０００５】
また、蛍光管のなかには、破損した際のガラスの飛散防止や昆虫を誘引するＵＶ光のカットを目的として、蛍光管本体の外周に有機樹脂などからなるフィルムを巻いたタイプのものがある。このようなフィルム付き蛍光管をリサイクルするためには、まず、フィルムと蛍光管本体とを分離する必要がある。
【０００６】
従来、このような包装材やフィルムの分別は人手によって行われてきたが、作業の効率化のために自動化が進められている。
【０００７】
例えば、特許文献１では、包装材を保持した状態で直管形の蛍光管を長手方向に押し出すことによって分離を行う装置が提案されている。
【０００８】
また、特許文献２では、蛍光管の長手方向に沿ってレーザーを照射することによりガラス飛散防止フィルムを切断し、その後、フィルムの切削部に空気を吹き付けることで該フィルムを剥離する装置が提案されている。
【先行技術文献】
【特許文献】
【０００９】
【特許文献１】特開２００９−０２９４２８号公報
【特許文献２】特開２０１２−１９２３０３号公報
【発明の概要】
【発明が解決しようとする課題】
【００１０】
特許文献１で提案されている装置によれば、包装材と蛍光管との分離を自動化することができる。しかし、前記装置には次のような問題があることが分かった。
【００１１】
まず、包装材に収容された状態で廃棄される蛍光管の中には、回収作業や運搬中に蛍光管が包装材から抜け落ちることを防ぐために、包装材と蛍光管の端部を粘着テープなどで固定されているものがある。このような場合、特許文献１に記載された装置では内部の蛍光管のみを押し出すことができないため、人手で分離を行う必要があった。
【００１２】
また、包装材は一般的に段ボールなどの紙からなるため、廃蛍光管の回収過程において雨水などで濡れてしまった場合、強度が低下するとともに滑りにくくなる。その結果、特許文献１に記載された装置では内部の蛍光管のみを押し出すことができず、やはり人手で分離を行う必要があった。
【００１３】
さらに、前記装置では、蛍光管を押し出す際に、押出を阻害したり蛍光管を破損したりすることがないように包装材のみを適切に保持する必要がある。そのため、一般的な蛍光管と高周波点灯方式の蛍光管（Ｈｆ管）のように径の異なる蛍光管の処理を同時に行うことは困難であった。
【００１４】
また、特許文献２で提案されている装置によれば、フィルムと蛍光管との分離を自動化することができる。しかし、前記装置には次のような問題があることが分かった。
【００１５】
一般的に、フィルムは蛍光管の外周に接着されているわけではなく、例えば、熱収縮させるといった方法で固定されているのみである。そのため、通常は特許文献２に記載の装置のように、フィルムの切削部に空気を吹き付ければ該フィルムを剥離することができるはずである。しかし、実際の廃蛍光管では、使用時の熱によってフィルムの一部が蛍光管のガラス表面に焼付いてしまっていることが多い。一部分でもフィルムが焼付いていると、フィルム全体が蛍光管から剥離できずに残ってしまうため、そのまま処理を進めてしまうと装置トラブルの原因となる。そのため、フィルムが焼付いた廃蛍光管については人手で処理する必要があり、したがって、空気を吹き付けてフィルムを剥離する方法ではフィルム付き蛍光管の処理を完全に自動化することは困難であった。
【００１６】
また、一般的に、フィルムは蛍光管の両端部にある金属製の口金部分を含む蛍光管全体を被覆している。通常、前記口金部の径は蛍光管のガラス管部分の径よりも小さいため、特許文献２の装置のようにレーザー照射でフィルムを切断する場合、口金部ではレーザーの焦点がフィルム面からずれてしまい、切断不良が発生しやすいという問題があった。
【００１７】
このように、包装材やフィルムの分離処理の完全な自動化は達成されているといえず、被除去物の状態や管径にかかわらず被除去物を除去することが可能な処理装置が求められている。加えて、特許文献１、２に記載された装置は、それぞれ包装材とフィルムの分離に特化したものであったが、作業効率や設置スペースの改善の観点からは、１台の装置で包装材の分離とフィルムの分離の両者に対応できることも求められる。
【００１８】
本発明は、上記の実情に鑑み開発されたものであり、被除去物の種類、状態、および蛍光管の径にかかわらず、効率的に被除去物を除去することを目的とする
【課題を解決するための手段】
【００１９】
本発明は、上記課題を解決するためになされたものであり、その要旨構成は次のとおりである。
【００２０】
１．直管形の蛍光管の表面から、被除去物としての包装材およびフィルムの少なくとも一方を除去する蛍光管処理装置であって、
前記被除去物を前記蛍光管の長手方向に沿って切削する切削部と、
切削された前記被除去物を剥離する剥離部とを有し、
前記切削部が、前記被除去物に当接した状態で回転する切削用回転ブラシと、前記回転ブラシを前記蛍光管の長手方向に移動させる切削用回転ブラシ移動手段とを備え、
前記剥離部が、前記被除去物に当接した状態で回転する剥離用回転ブラシを備える、蛍光管処理装置。
【００２１】
２．前記剥離用回転ブラシが、前記蛍光管の長手方向と平行な回転軸を有する、上記１に記載の蛍光管処理装置。
【００２２】
３．前記剥離用回転ブラシの長さが、前記蛍光管の長さ以上である、上記１または２に記載の蛍光管処理装置。
【００２３】
４．前記剥離部が、前記被除去物に当接した状態で回転する回転ローラーをさらに備える、上記１〜３のいずれか一項に記載の蛍光管処理装置。
【００２４】
５．直管形の蛍光管の表面から、被除去物としての包装材およびフィルムの少なくとも一方を除去する蛍光管処理方法であって、
前記被除去物を前記蛍光管の長手方向に沿って切削する切削工程と、
切削された前記被除去物を剥離する剥離工程とを有し、
前記切削工程では、前記被除去物に当接した状態で回転する切削用回転ブラシを、前記蛍光管の長手方向に移動させながら前記被除去物を切削し、
前記剥離工程では、前記被除去物に当接した状態で回転する剥離用回転ブラシにより前記被除去物を剥離する、蛍光管処理方法。
【発明の効果】
【００２５】
本発明によれば、被除去物の種類、状態、および蛍光管の径にかかわらず被除去物を除去することができる。本発明によれば、人手によらず蛍光管を自動的に処理できるため、廃蛍光管のリサイクル処理の効率を大幅に向上させることができる。
【図面の簡単な説明】
【００２６】
【図１】本発明の一実施形態における切削用回転ブラシの配置を示す、蛍光管の長手方向に垂直な断面での模式図である。
【図２】本発明の一実施形態における切削用回転ブラシの配置を示す、該切削用回転ブラシの回転軸に垂直な断面での模式図である。
【図３】本発明の一実施形態における剥離部の構造を示す、蛍光管の長手方向に垂直な断面での模式図である。
【図４】本発明の他の実施形態における剥離部の構造を示す、蛍光管の長手方向に垂直な断面での模式図である。
【発明を実施するための形態】
【００２７】
次に、本発明を実施する方法について具体的に説明する。
【００２８】
本発明の一実施形態における蛍光管処理装置は、直管形の蛍光管の表面から、被除去物としての包装材およびフィルムの少なくとも一方を除去する蛍光管処理装置であって、前記被除去物を前記蛍光管の長手方向に沿って切削する切削部と、切削された前記被除去物を剥離する剥離部とを有している。以下、各部の詳細について説明する。
【００２９】
［蛍光管］
前記蛍光管としては、特に限定されることなく、表面に被除去物を有する直管形の蛍光管であれば、任意のものを処理対象とすることができる。
【００３０】
［被除去物］
前記被除去物は、包装材およびフィルムの少なくとも一方である。すなわち、本発明は、包装材の除去と、フィルムの除去のいずれにも適用することができる。
【００３１】
前記包装材としては、特に限定されないが、例えば、内部に蛍光管を収容することができる筒状のケース（サヤ）などが挙げられる。前記包装材の代表的な材質としては、段ボールなどの紙が挙げられるが、本発明は包装材の材質にかかわらず適用可能である。なお、一般的な包装材の、蛍光管長手方向に垂直な面における断面形状は正方形であるが、本発明がそれ以外の断面形状を有する包装材にも適用できることはいうまでもない。
【００３２】
前記フィルムについても、特に限定されず、フィルム状のものであれば処理対象とすることができる。前記フィルムの材質は特に限定されないが、一般的には樹脂である。前記樹脂としては、例えば、ポリエチレンテレフタレート（ＰＥＴ）などのポリエステル樹脂が挙げられるが、本発明はフィルムの材質にかかわらず適用可能である。
【００３３】
［切削部］
本発明では、まず切削部において、前記被除去物を前記蛍光管の長手方向に沿って切削する。前記切削により、蛍光管の表面に存在する被除去物に対して、該蛍光管の長手方向に延在する切れ目を設けることができる。その結果、剥離部において被除去物を容易に剥離することが可能となる。
【００３４】
前記切削部は、前記被除去物に当接した状態で回転する切削用回転ブラシと、前記回転ブラシを前記蛍光管の長手方向に移動させる切削用回転ブラシ移動手段とを備えている。以下、これらについて説明する。
【００３５】
（切削用回転ブラシ）
本発明では、切削用回転ブラシを被除去物に当接した状態で回転させることにより、該蛍光管の表面に存在する被除去物を切削する。上述したように、レーザー照射で被除去物を切断する従来技術では、ガラス管部分より径が小さい口金部や、蛍光管自体の径が異なる場合などではレーザーの焦点が合わず切断不良が発生することがあった。これに対して、回転ブラシを用いる本発明では、ブラシ自体に弾性があるため口金部の径が小さい場合や、径の違う蛍光管が混在している場合でも、適切に切削することができる。また、ブラシ自体に弾性があるため、回転ブラシを蛍光管に押し当てて切削を行ってもガラス管を破損することがない。加えて、ブラシで切削した被除去物のエッジは、レーザーで切断した場合に比べて凹凸が大きくなっているため、次の剥離工程において被除去物が剥離用回転ブラシに引っ掛かりやすくなるというメリットもある。
【００３６】
図１、２は、本発明の一実施形態における切削用回転ブラシの配置を示す模式図であり、図１は蛍光管の長手方向に垂直な断面での模式図、図２は切削用回転ブラシの回転軸に垂直な断面での模式図である。
【００３７】
図１に示したように、切削用回転ブラシ１０は蛍光管１に当接した状態で回転し、被除去物２の一部を切削する。図１（ａ）は、被除去物２が包装材２ａである場合の模式図であり、ここで包装材２ａは、蛍光管の長手方向に垂直な面における断面が略正方形である筒状のケース（サヤ）である。図１（ｂ）は、被除去物２がフィルム２ｂである場合の模式図であり、ここでフィルム２ｂは蛍光管の外周を覆っている。
【００３８】
被除去物２は包装材２ａであるかフィルム２ｂであるかにかかわらず、図１に示したように切削用回転ブラシ１０を押し当てて切削することにより、切削用回転ブラシ１０が当たった部分の被除去物２を削って除去することができる。
【００３９】
切削用回転ブラシ１０は、図２に示したように、図示されない切削用回転ブラシ移動手段により蛍光管１の長手方向（図中の矢印Ｌ）に移動される。このように移動しながらブラシを回転させることにより、蛍光管の長さ方向全体にわたって、効率的に切削を行うことができる。
【００４０】
前記切削用回転ブラシの個数は、特に限定されることなく、１以上の任意の数とできる。しかし、過度に多くなると重量やサイズが増大するとともに、装置構造が複雑化してコストも増加するため、蛍光管１本あたりの切削用回転ブラシの数は１個とすることが好ましい。
【００４１】
ただし、処理効率を向上させるという観点からは、複数の蛍光管を同時に処理できるようにすることが望ましい。したがって、切削部は、切削用回転ブラシと切削用回転ブラシ移動手段とを、２組またはそれ以上備えることが好ましい。
【００４２】
前記切削用回転ブラシとしては、回転させつつ蛍光管表面と当接させることによって被除去物を切削することができるものであれば、任意のものを用いることができる。前記切削用回転ブラシとしては、略円盤形状のホイールブラシを用いることが好ましい。ホイールブラシは、回転中心軸から放射状に外方へ延びる多数のワイヤを備えている。前記ワイヤとしては、任意のものを使用することができるが、効率的に切削を行うという観点からは、金属製ワイヤを用いることが好ましく、中でも鋼線（スチールワイヤ）を用いることが好ましい。前記ワイヤの直径は特に限定されないが、過度に細いと押付け力が不足し、一方、過度に太いと押付け力が過大となるため、０．３ｍｍ〜１．０ｍｍとすることが好ましく、０．５ｍｍ〜０．８ｍｍとすることがより好ましい。
【００４３】
なお、ブラシの種類としては、ストレート（単線）タイプのブラシと、ワイヤを一定の本数ごとに束ねて撚り加工する（ねじる）ことによって強度を向上させた撚り線タイプのブラシとがあり、いずれも使用できる。
【００４４】
前記切削用回転ブラシの幅は特に限定されないが、確実に被除去物を切削するためには、切削用回転ブラシの幅は５ｍｍ以上とすることが好ましく、７ｍｍ以上とすることがより好ましく、１０ｍｍ以上とすることがさらに好ましい。一方、切削用回転ブラシの幅を過度に広くしても、実際に被除去物に当接するのは図１に示したようにブラシ先端の一部であり、ブラシの幅全体を有効に利用することが難しくなる。そのため、切削用回転ブラシの幅は２０ｍｍ以下とすることが好ましく、１８ｍｍ以下とすることがより好ましく、１５ｍｍ以下とすることがさらに好ましい。
【００４５】
上記切削用回転ブラシの回転は任意の方法で行えばよい。例えば、切削部は、回転ブラシを直接回転駆動するモーターを備えていてもよく、また、モーターと該モーターの回転を切削用回転ブラシへ伝達する伝達手段とを備えることもできる。前記伝達手段としては、例えば、プーリーとベルトを用いることができる。
【００４６】
（切削用回転ブラシ移動手段）
上記切削部は、前記切削用回転ブラシを前記蛍光管の長手方向に移動させる切削用回転ブラシ移動手段（以下、単に「移動手段」という場合がある）を備える。これにより、切削用回転ブラシを移動させて、蛍光管の長手方向全体にわたって被除去物を切削することができる。
【００４７】
前記移動手段としては、前記切削用回転ブラシを移動させることができるものであれば任意のものを用いることができる。前記移動手段としては、例えば、移動用モーターと、前記移動用モーターの回転軸に連結されたピニオン、および蛍光管の長手方向と平行となるように設置されたラックを用いることができる。前記ピニオンを前記ラックにかみ合わせた状態で前記移動用モーターを回転させることにより、回転ブラシを蛍光管の長手方向に直線的に移動させることができる。また、ラックとピニオンに代えて、ボールねじなど、他の任意の直動部材を用いることもできる。なお、回転ブラシを回転させるための上記回転手段も、回転ブラシと共に前記移動手段によって移動させることが好ましい。また、前記移動手段は、移動方向を規制するためのレールを備えることが好ましい。
【００４８】
前記移動手段による移動の態様は限定されず、任意の方法で移動させることができる。例えば、蛍光管の長手方向一端側から他端側へ移動させる片道１回の移動で切削を行ってもよいし、さらに前記他端側から一端側へ戻る復路を加えた往復１回の移動で切削を行ってもよく、また、２回以上の往復で切削を行ってもよい。
【００４９】
本発明の一実施形態における蛍光管処理装置は、上記切削部において切削を行う際に処理対象の蛍光管を指示する支持手段を備えることができる。前記支持手段の構造は特に限定されず、蛍光管を支持できるものであれば任意の構造と出来る。例えば、略Ｕ字または略Ｖ字形状の受け部材によって蛍光管を支持するものとすることができる。前記支持手段は、蛍光管の長手方向全体にわたって支持してもよいが、両端部（例えば、口金部）のみを支持してもよい。ただし、蛍光管の両端のみを支持した場合、切削用回転ブラシの押しつけによって蛍光管がたわんでしまい、切削に支障が生じる場合がある。上記支持手段は、該蛍光管の両端部に加えて、長手方向中央部を支持することが好ましい。
【００５０】
上記支持手段は、蛍光管に対して切削用回転ブラシが押し当てられる方向とは反対側から該蛍光管を支持することが好ましい。例えば、回転ブラシを上から押し当てる場合には、蛍光管の下方から支持手段によって支持することが好ましい。
【００５１】
（押付け力調整手段）
上記切削部は、蛍光管の表面に対して切削用回転ブラシを押付ける力（押付け力）を調整するための押付け力調節手段を備えることが好ましい。押付け力調節手段を備えることにより、微細な押付け力の調整が可能となることに加え、ブラシの摩耗に伴う微調整が可能となるため、さらに安定して切削を行うことが可能となる。
【００５２】
押付け力調節手段の構造は、特に限定されず、回転ブラシの押付け力を調整できるものであれば任意の構造とすることができる。例えば、蛍光管表面に対する回転ブラシの位置を調整することによって押付け力を変更できるようにすればよい。回転ブラシの位置の調整は、例えば、回転ブラシを支持する支持部材の位置を変更可能とし、ボルトなどを用いて任意の位置で前記支持部材を固定することで行うことができる。また、前記押付け力調整手段は、回転ブラシを蛍光管に向かって付勢し、押付け力を調整するための、バネやエアシリンダーなどの弾性部材を用いた付勢手段を備えることが好ましい。
【００５３】
［剥離部］
上記切削部において前記被除去物を前記蛍光管の長手方向に沿って切削した後、剥離部において切削された前記被除去物を剥離する。ここで、切削された被除去物を剥離するとは、切削によって切れ目が設けられた状態の、残存している被除去物を蛍光管表面から剥離することを指すものとする。
【００５４】
（剥離用回転ブラシ）
前記剥離部は、前記被除去物に当接した状態で回転する剥離用回転ブラシを備えており、前記剥離用回転ブラシの回転を利用して被除去物を剥離する。蛍光管にブラシを押し当てて回転させれば、ブラシの形状や配置にかかわらず、被除去物をブラシの回転に巻き込んで剥離できるため、ブラシの形状や配置は任意の物とすることができる。
【００５５】
しかし、上記切削工程では、蛍光管の長手方向に沿って切削用回転ブラシを移動させながら切削を行っているため、切削による切れ目は蛍光管の長手方向に沿って設けられている。したがって、剥離工程では、被除去物に対して、前記切削による切れ目と略垂直方向に力を加えることにより、より効率的に剥離を行うことができる。そのため、前記剥離用回転ブラシは、前記蛍光管の長手方向と平行な回転軸を有することが好ましい。
【００５６】
また、被除去物は一般的に蛍光管の全長を覆っているため、前記剥離用回転ブラシの長さは、前記蛍光管の長さ以上であることが好ましい。剥離用回転ブラシの長さが前記蛍光管の長さ以上であれば、蛍光管の全面を確実にブラシと当接させることができるため、例えば、フィルムが熱で蛍光管に融着しているような場合であっても、一層確実に被除去物を剥離することができる。より具体的には、市販の蛍光管の代表的なものの長さは１１９８ｍｍであることから、前記剥離用回転ブラシの長さを１１９８ｍｍ以上とすることが好ましく、１２００ｍｍ以上とすることがより好ましい。一方、剥離用回転ブラシの長さを必要以上に長くしても装置サイズが大型化するばかりで、処理効率は向上しない。そのため、前記剥離用回転ブラシの長さは、１５００ｍｍ以下とすることが好ましい。
【００５７】
図３は、本発明の一実施形態における剥離部の構造を示す、蛍光管の長手方向に垂直な断面での模式図である。この実施形態では２本の剥離用回転ブラシ２０が使用されており、２本の剥離用回転ブラシ２０は、回転軸が蛍光管１の長手方向と平行となるように配置されている。そして、包装材２ａを表面に備える蛍光管１が、それら剥離用回転ブラシ２０の上に載置されており、剥離用回転ブラシ２０が包装材２ａと当接している。包装材２ａにはすでに切削工程において切れ目が入れられているので、この状態で剥離用回転ブラシ２０を回転させることにより、包装材２ａを剥離することができる。剥離された包装材２ａは、ブラシの回転により蛍光管１から剥がされて、下方へ落下する。なお、図３では、被除去物が包装材２ａである場合を示したが、被除去物がフィルムである場合にも、同様にフィルムを剥離することができる。
【００５８】
また、図３では、蛍光管１本に対して、２つの剥離用回転ブラシ２０を使用する例を示したが、剥離部は、少なくとも１つの剥離用回転ブラシを備えていれば、剥離を行うことができる。ただし、図３に示した実施形態のように剥離用回転ブラシが複数あれば、剥離用回転ブラシによって蛍光管を支持することができる。そのため、剥離用回転ブラシは、蛍光管１本に対して２つ以上設けることが好ましく、２つ設けることがより好ましい。また、同様の観点から、剥離用回転ブラシは蛍光管の下方に設けることが好ましい。
【００５９】
剥離用回転ブラシの回転は任意の方法で行えばよい。例えば、剥離部は、剥離用回転ブラシを直接回転駆動するモーターを備えていてもよく、また、モーターと該モーターの回転を剥離用回転ブラシへ伝達する伝達手段とを備えることもできる。前記伝達手段としては、例えば、プーリーとベルトを用いることができる。
【００６０】
また、剥離用回転ブラシの回転方向は特に限定されず、任意の方向とすることができる。なお、２つの剥離用回転ブラシを使用する場合には、図３、４に矢印で示した方向に回転させることが好ましい。すなわち、蛍光管の長手方向に垂直な断面で見たときに、蛍光管の左下（蛍光管の中心軸を原点としたときの第３象限）に位置する剥離用回転ブラシは時計回り、蛍光管の右下（蛍光管の中心軸を原点としたときの第４象限）に位置する剥離用回転ブラシは反時計回りに回転させることが好ましい。
【００６１】
（回転ローラー）
図４は、本発明の他の実施形態における剥離部の構造を示す模式図である。この実施形態における剥離部は、２本の剥離用回転ブラシ２０に加えて、さらに２つの回転ローラー３０を備えている。２本の回転ローラー３０は、剥離用回転ブラシ２０と同様、回転軸が蛍光管１の長手方向と平行となるように配置されている。このように回転ローラー３０を併用することにより、剥離時に蛍光管を押さえこみ、より確実に剥離を行うことができる。回転ローラー３０の配置については特に限定されないが、前記効果を高めるためには、蛍光管１を挟んで剥離用回転ブラシ２０とは反対側に、言い換えると、剥離用回転ブラシ２０と回転ローラー３０の間に蛍光管１が位置するように、回転ローラー３０を配置することが好ましい。
【００６２】
また、図４では、蛍光管１本に対して、２つ回転ローラー３０を使用する例を示したが、回転ローラー３０の個数は特に限定されない。回転ローラー３０を設ける場合、１つの回転ローラー３０でも蛍光管を押さえることができるため、その個数は１以上であればよい。ただし、図４に示した実施形態のように回転ローラー３０が複数あれば、より安定して蛍光管を保持することができる。そのため、回転ローラー３０は、蛍光管１本に対して２つ以上設けることが好ましく、２つ設けることがより好ましい。
【００６３】
また、回転ローラーを用いる場合、回転ローラーは蛍光管の長手方向に少なくとも１箇所に設けることが好ましく、間隔を開けて複数箇所に設けることが好ましい。
【００６４】
上記回転ローラーの材質は特に限定されないが、少なくとも表面（外周）部分は、摩擦力の観点から、ゴム製とすることが好ましい。
【００６５】
上記回転ローラーの回転は任意の方法で行えばよい。例えば、剥離部は、回転ローラーを直接回転駆動するモーターを備えていてもよく、また、モーターと該モーターの回転を伝達する伝達手段とを備えることもできる。前記伝達手段としては、例えば、プーリーとベルトを用いることができる。
【００６６】
また、回転ローラーの回転方向は特に限定されず、任意の方向とすることができる。なお、２つまたはそれ以上の回転ローラーを使用する場合には、全ての回転ローラーの回転方向を同じとすることが好ましい。
【００６７】
［搬送手段］
本発明の蛍光管処理装置は、処理対象である蛍光管を搬送するための搬送手段を備えることが好ましい。搬送手段の形態は特に限定されないが、例えば、蛍光管を切削部へ搬送する第１の搬送手段と、切削部から剥離部へ搬送する第２搬送手段と、剥離が終わった後の蛍光管を排出する第３搬送手段を備えることがより好ましい。前記搬送手段としては、コンベア、ロボット、シュートなどを用いることができる。また、前記搬送手段は、上述した支持手段を兼ねることもできる。
【００６８】
［蛍光管処理方法］
本発明の一実施形態における蛍光管処理方法は、被除去物を前記蛍光管の長手方向に沿って切削する切削工程と、切削された前記被除去物を剥離する剥離工程とを有する。そして、前記切削工程では、前記被除去物に当接した状態で回転する切削用回転ブラシを、前記蛍光管の長手方向に移動させながら前記被除去物を切削し、前記剥離工程では、前記被除去物に当接した状態で回転する剥離用回転ブラシにより前記被除去物を剥離する。上記蛍光管処理方法は、上述した蛍光管処理装置を用いて行うことができる。
【００６９】
以上述べたように、本発明によれば、被除去物が包装材であるかフィルムであるかにかかわらず除去可能であり、また、包装材と蛍光管の端部を粘着テープなどで固定されている場合や包装材が濡れている場合であっても被除去物を除去することができる。さらに、管端の口金部や、管径の異なる蛍光管が混在するような場合であっても問題なく被除去物を除去することができる。
【００７０】
加えて、本発明によれば、蛍光管を破損すること無く、被除去物のみを分離することができるため、分離後の被除去物の再資源化にも適している。
【符号の説明】
【００７１】
１    蛍光管
２    被除去物
２ａ  包装材
２ｂ  フィルム
１０    切削用回転ブラシ
２０    剥離用回転ブラシ
３０    回転ローラー
【図１】
2019205960.tif 000003
【図２】
2019205960.tif 000004
【図３】
2019205960.tif 000005
【図４】
2019205960.tif 000006